(57)【特許請求の範囲】
【請求項１】
２階建て以上の建物の外壁に、少なくとも複数の窓１〜５を含む多数の窓が上下方向に離間して設けられた建物において、前記外壁の両側端部の上端から下端にかけて連続して一直線上に延びる縦長のルーバ１１,１６が、前記複数の窓１〜５の全体を覆うようにして設けられており、前記外壁の両側端部には、その上端から下端まで延びる縦長の凹所１０，１５がそれぞれ形成されており、この凹所１０，１５の底部に前記複数の窓１〜５がそれぞれ設けられており、前記凹所１０，１５に前記ルーバ１１，１６が前記窓１〜５と所定の間隔を隔ててはめ込まれており、前記ルーバ１１，１６は、前記外壁から突出しないように、横長の板を多数上下方向に一定の間隔で配置されてなるものであり、前記ルーバ１１，１６と前記窓１〜５との間に、縦樋１２，１７が設けられていることを特徴とする建物。
【発明の詳細な説明】
【技術分野】
【０００１】
本発明は、外壁にルーバが設けられた建物に関する。
【背景技術】
【０００２】
建物の外壁に複数の窓を設ける場合、通常、外観意匠性を考慮して、窓の高さや、大きさを揃えている。特許文献１に記載の技術では、外観形状と内観形状とが異なる窓構造としている。このようにすれば、窓の上部、下部の高さが制限されるような場合でも、窓の外観を揃えることができるようになる。
【特許文献１】特開２００３−１１３６５２号公報
【発明の開示】
【発明が解決しようとする課題】
【０００３】
ところで、建物の外壁の一部に、外壁の上端から下端に亙って所定間隔で複数の窓を設ける場合、窓の位置によっては、建物の外観がまとまりのない雑然とした印象を受けてしまうという課題があった。
【０００４】
本発明は上記事情に鑑みてなされたもので、外壁の上端から下端に亙って所定間隔で複数の窓を設けた場合でも、建物の外観がまとまりのあるスッキリとした印象となる建物を提供することを課題としている。
【課題を解決するための手段】
【０００５】
上記課題を解決するために本願発明は、２階建て以上の建物の外壁に、少なくとも複数の窓１〜５を含む多数の窓が上下方向に離間して設けられた建物において、前記外壁の両側端部の上端から下端にかけて連続して一直線上に延びる縦長のルーバ１１,１６が、前記複数の窓１〜５の全体を覆うようにして設けられており、前記外壁の両側端部には、その上端から下端まで延びる縦長の凹所１０，１５がそれぞれ形成されており、この凹所１０，１５の底部に前記複数の窓１〜５がそれぞれ設けられており、前記凹所１０，１５に前記ルーバ１１，１６が前記窓１〜５と所定の間隔を隔ててはめ込まれており、前記ルーバ１１，１６は、前記外壁から突出しないように、横長の板を多数上下方向に一定の間隔で配置されてなるものであり、前記ルーバ１１，１６と前記窓１〜５との間に、縦樋１２，１７が設けられている。
【発明の効果】
【００１５】
本発明によれば、２階建て以上の建物において、外壁に、複数の窓が上下方向に離間して設けられるとともに、前記外壁の上端から下端にかけて一直線上に延びる縦長のルーバが前記複数の窓の全体を覆うようにして設けられているので、このルーバによって外側から窓が見えることがなく、よって、建物の外観がまとまりのあるスッキリとした印象となる。
【発明を実施するための最良の形態】
【００１６】
以下図面を参照して本発明の実施の形態について説明する。
図１は本発明に係る建物の正面図、図２はルーバを外した状態を示す建物の正面図である。
本実施の形態の建物は、２．５階建ての住宅であり、２階の上に、２階床より半階高いスキップ床が設けられてなるものである。また、建物はその正面の外壁の面して道路が設けられている。
【００１７】
図２に示すように、建物の正面の外壁の左側部には、２つの窓１，２が上下に離間して設けられており、同外壁の右側部には、３つの窓３，４，５が上下に離間して設けられている。
窓１は、図３に示すように、１階のダイニング６に面する窓である。この窓１の右側には、掃出し窓７が設けられている。窓２は、図５に示すように、２．５階の寝室８に面する窓である。この窓２の右側には、掃出し窓９が設けられている。
【００１８】
建物正面の左側部の外壁は、建物正面のその他の外壁より若干奥まって設けられており、この外壁には、その上端から下端まで延びる縦長の凹所１０が形成されており、この凹所１０の底面に、前記窓１，２が設けられている。
この凹所１０には、外壁の上端から下端にかけて延びる縦長のルーバ１１が窓１，２を覆うようにしてはめ込まれている。ルーバ１１は、幅の狭い横長の板を多数上下方向に一定の間隔で配置してなるものであり、上下に隣り合う横長の板間から通風や採光を確保できる一方で、外部からの視線を遮断できるようになっている。
また、前記窓１，２はジャロジー窓である。ジャロジー窓は、細長いガラスの羽板を並べ、その角度を変えることで開け閉めができる方式の窓である。このジャロジー窓では、全ての羽板を略水平にすることによって、窓を最大に開口できる。羽板が略水平になることで、該羽板は最も突出することになるが、そのときでも該羽板の先端がルーバ１１に衝突しないように、窓１，２と所定の間隔を隔てて、該ルーバ１１が前記凹所１０にはめ込まれている。
【００１９】
前記凹所１０には、ルーバ１１と窓１，２との間において、縦樋１２が上下に延在して設けられている。この縦樋１２の上端部は建物の屋上の横樋に接続され、下端部は開口されるか、あるいは地盤中の下水管に接続されている。
【００２０】
窓３は、図１に示すように、１階の土間部屋１２に面する窓である。この窓３の右側は壁となっており、窓は設けられていない。窓４は、図４に示すように、２階のリビングダイニング１３に面する窓である。この窓４の右側は壁となっており、窓は設けられていない。窓５は２階のリビングダイニング１３の上方の吹抜けに面する窓である。この窓５の右側は壁となっており、窓は設けられていない。
【００２１】
建物正面の右側部の外壁は、正面のその他の外壁より若干前方に突出して設けられており、この外壁には、その上端から下端まで延びる縦長の凹所１５が形成されており、この凹所１５の底面に、前記窓３，４，５が設けられている。この凹所１５には、外壁の上端から下端にかけて延びる縦長のルーバ１６が窓３，４，５を覆うようにしてはめ込まれている。ルーバ１６は、ルーバ１１と同様に、幅の狭い横長の板を多数上下方向に一定の間隔で配置してなるものであり、上下に隣り合う横長の板間から通風や採光を確保できる一方で、外部からの視線を遮断できるようになっている。
また、窓３，４，５は窓１，２と同様なジャロジー窓である。ジャロジー窓の羽板が略水平になることで、該羽板は最も突出することになるが、そのときでも該羽板の先端がルーバ１６に衝突しないように、窓３，４，５と所定の間隔を隔てて、該ルーバ１６が前記凹所１５にはめ込まれている。
【００２２】
前記凹所１５には、ルーバ１６と窓３，４，５との間において、縦樋１７が上下に延在して設けられている。この縦樋１７の上端部は建物の屋上の横樋に接続され、下端部は開口されるか、あるいは地盤中の下水管に接続されている。
【００２３】
上記のように本実施の形態では、外壁の上端から下端にかけて延びる縦長のルーバ１１，１６がそれぞれ建物正面の左右両側部に設けられた窓１，２と窓３，４，５を覆うようにして設けられている。
【００２４】
また、建物正面の左側の外壁に設けられた２．５階の掃出し窓９の下半分は矩形状のルーバ２０によって覆われており、該ルーバ２０によって掃出し窓７，９間に位置する外壁も覆われている。
また、建物の２階には図４に示すように、左右両側が居室に挟まれたルーフバルコニー２１が設けられており、このルーフバルコニー２１の前方は、矩形状のルーバ２２によって覆われている。
【００２５】
本実施の形態によれば、建物正面の外壁の上端から下端にかけて延びる縦長のルーバ１１，１６が複数の窓１，２、窓３，４，５を覆うようにして設けられているので、このルーバ１，１６によって外側から窓１〜５が見えることがなく、建物の外観がまとまりのあるスッキリとした印象となる。
また、外壁には、その上端から下端まで延びる縦長の凹所１０，１５が形成されており、この凹所１０，１５の底面に複数の窓１，２、窓３，４，５が設けられており、凹所１０，１５にルーバ１１，１６がはめ込まれているので、このルーバ１１，１６を確実に固定できるとともに、ルーバ１１，１６が外壁から突出することがなく、外観意匠性に優れたものとなる。
【００２６】
さらに、ルーバ１１，１６で覆われた窓１〜５がジャロジー窓であるので、ルーバ１１，１２に覆われても、ジャロジー窓は大きく開口でき、通風性に優れたものとなる。
また、凹所１０，１５に、ルーバ１１，１６と窓１，２、窓３，４，５との間において、縦樋１２，１７が上下に延在して設けられているので、縦樋１２，１７をルーバ１１，１６によって隠すことができるので、縦樋１２，１７が外壁に露出することがなく、外観意匠性に優れたものとなる。
加えて、ルーバ１１，１６は、道路に面している外壁の左右両側部にそれぞれ設けられており、外壁の両側部の窓１〜５がルーバ１１，１６によって覆われているので、道路を挟むことなく、隣地に建てられた建物の住人の目線が気になることがない。
【図面の簡単な説明】
【００２７】
【図１】本発明に係る建物の一例を示すもので、建物の正面図である。
【図２】同、ルーバを外した状態を示す建物の正面図である。
【図３】同、建物の１階の平面図である。
【図４】同、建物の２階の平面図である。
【図５】同、建物の２．５階の平面図である。
【符号の説明】
【００２８】
１〜５  窓
１０，１５  凹所
１１，１６  ルーバ
１２，１７  縦樋
【図１】
0005641670.tif 000002
【図２】
0005641670.tif 000003
【図３】
0005641670.tif 000004
【図４】
0005641670.tif 000005
【図５】
0005641670.tif 000006